(57)【要約】      （修正有）【課題】搬送時にカーペットを保護するだけでなく、搬送後には２個の筒状体となってゴミ入れとして利用できるカーペット包装材を提供する。  【解決手段】所定の長さに裁断した紙シートを用い、紙シートには側辺と平行に１対のミシン目８を刻設しており、この紙シートをカーペットに巻き付けてその外側辺を接着するとともに、両端部をテープ７で封止した筒状の包装材１であって、搬送後のカーペット取り出し時に平行ミシン目に沿って筒状の包装材を２部分に切り離し、切り離して得た２個の筒状体をゴミ入れとして転用する。【選択図】図１
0003201843.tif 000002
【実用新案登録請求の範囲】
【請求項１】
所定の長さに裁断した紙シートを用い、該紙シートには側辺と平行に１対のミシン目を刻設しており、この紙シートをカーペットに巻き付けてその外側辺を接着するとともに、両端部を封止した筒状の包装材であって、搬送後のカーペット取り出し時に平行ミシン目に沿って筒状の包装材を２部分に切り離し、切り離して得た２個の筒状体をゴミ入れとして転用できるカーペット包装材。
【請求項２】
紙シートは、ポリエチレンまたはポリプロピレンクロス入りの強化包装紙であり、ミシン目が付いていない通常の紙ロール状で入荷された後に、丸カッターによってカーペットの包装可能長さの紙シートに裁断していく請求項１記載のカーペット包装材。
【請求項３】
ロータリーカッターによって、紙シートに１対のミシン目を刻設するとともに、両ミシン目間において２または３個の半円形状の切り込みを所定間隔をおいて形成し、この切り込みを紙シート切り離し時のツマミ部として用いる請求項１記載のカーペット包装材。
【請求項４】
紙シートの全体重量は５０〜１２０ｇ／ｍ２であり、１対のミシン目の間隔は３５〜５０ｍｍ、各ミシン目の幅は２．５〜６ｍｍ、前後ミシン目の間隙は０．７〜１．２ｍｍである請求項１記載のカーペット包装材。
【考案の詳細な説明】
【技術分野】
【０００１】
本考案は、搬送時にカーペットを保護するだけでなく、搬送後には２個の筒状体となってゴミ入れとして利用できるカーペット包装材に関する。
【背景技術】
【０００２】
展示会用などのカーペットは、広大な展示会場に応じて長さ２０ｍ以上である長寸のものが多く、長寸カーペットを搬送する際には円筒状に巻き、その外周面に包装シートを巻き付けてその外側辺を止着してから、筒状のシート両端部を内方へ折り曲げ、さらにガムテープで封止する方法が一般的である。この搬送方法では、展示会まで搬送した後に包装シートを剥がし、該包装シートおよびクラフトテープなどを廃棄しなければならない。大きい展示会場では、紙片、テープ片、糊くずなどの廃棄物が大量に発生するので、その廃棄物を纏めて処分するのが大仕事であり、廃棄処理に長時間を要していた。
【０００３】
従来のカーペット包装材には、実開昭６３−１５８８７１号および実用新案登録第３１００１６８号が存在するけれども、実開昭６３−１５８８７１号では、矩形状の敷物１を複数枚積み重ね、この積層体２の周囲を包装材３および透明フィルム４で包み込んでおり、目的地に搬送後に剥がした大量の包装材３および透明フィルム４を廃棄処分しなければならない。また、実用新案登録第３１００１６８号では、円筒状に巻いた敷物２を大型の透視性チューブ１０の中に入れ、その後にチューブ両端をシールしており、目的地に搬送後に多数枚のチューブ１０を廃棄処分しなければならず、従来方法および実開昭６３−１５８８７１号と同様の煩わしい廃棄作業を要する。
【先行技術文献】
【特許文献】
【０００４】
【特許文献１】実開昭６３−１５８８７１号明細書
【特許文献２】実用新案登録第３１００１６８号公報
【考案の概要】
【考案が解決しようとする課題】
【０００５】
長寸のカーペットを大きい展示会場に多数枚敷設した際に出るゴミは、単に使用済みの包装材だけでなく、多量に発生する使用済みクラフトテープやガムテープ、カーペットの切り端、糸くず、紙くずなどの小物くずであり、これらを廃棄処分するために、敷設完了後に複数個のダストボックスを展示会場に持ち込み、その展示会場全体を掃除して小物くずをダストボックスに収納することを要する。大量の小物くずを収納したダストボックスは、当然再使用するために該小物くずを廃棄した後に回収しなければならず、これら一連の敷設作業、清掃作業および回収作業によって、大規模展示会場でのカーペット敷設コストが非常に高くなる。
【０００６】
本考案は、従来のカーペット包装材に存在しない利点を獲得するために提案されたものであり、平行ミシン目に沿って筒状の包装材を２部分に切り離し、切り離して得た２個の筒状体をゴミ入れとしてそのまま転用できるカーペット包装材を提供することを目的としている。本考案の他の目的は、ツマミ部を引っ張るだけで平行ミシン目に沿って筒状の包装材を２部分に分離できるカーペット包装材を提供することである。
【課題を解決するための手段】
【０００７】
本考案に係るカーペット包装材には、所定の長さに裁断した紙シートを用い、該紙シートには側辺と平行に１対のミシン目を刻設しており、この紙シートをカーペットに巻き付けてその外側辺を接着するとともに、両端部を封止している。本考案に係る筒状のカーペット包装材は、搬送後のカーペット取り出し時に平行ミシン目に沿って筒状の包装材を２部分に切り離し、切り離して得た２個の筒状体をゴミ入れとして転用できる。
【０００８】
本考案に係るカーペット包装材において、紙シートは、ポリエチレンまたはポリプロピレンクロス入りの強化包装紙であり、ミシン目が付いていない通常の紙ロール状で入荷された後に、カッターによってカーペットの包装可能長さの紙シートに裁断していく。好ましくは、ロータリーカッターによって、紙シートに１対のミシン目を刻設するとともに、両ミシン目間において２または３個の半円形状の切り込みを所定間隔をおいて形成し、この切り込みを紙シート切り離し時のツマミ部として用いる。
【０００９】
本考案のカーペット包装材において、紙シートの全体重量は５０〜１２０ｇ／ｍ２であり、１対のミシン目の間隔は３５〜５０ｍｍ、各ミシン目の幅は２．５〜６ｍｍ、前後ミシン目の間隙は０．７〜１．２ｍｍであると好ましい。
【考案の効果】
【００１０】
本考案に係るカーペット包装材は、展示会場などに搬送してから、筒巻きカーペットの取り出し時に、平行ミシン目に沿って破る際にタグ状のツマミ部を外方へ引っ張るだけでよく、筒状の包装材を２部分に容易に切り離しできる。本考案に係るカーペット包装材は、平行ミシン目に沿って筒状の包装材を２部分に切り離すと、その筒状の包装材は２個の上面開口の筒状体となり、これらの筒状体をゴミ入れとして転用できる。
【００１１】
使用済みのカーペット包装材から得た各２個の上面開口の筒状体は、本来不要物であるのにゴミ入れとして転用でき、大展示会場におけるカーペット敷設の際に多量に発生する使用済みクラフトテープやガムテープ、カーペットの切り端、糸片、紙くず、糊くずなどの小物くずを収納でき、これらをゴミ入れごと廃棄処分すればよい。このため、複数個のダストボックスを展示会場に持ち込み、そのダストボックスを回収する作業が不要になり、大会場でのカーペット敷設作業が簡略化して迅速に完了する。
【図面の簡単な説明】
【００１２】
【図１】本考案に係る筒状のカーペット包装材を示す概略斜視図である。
【図２】本考案で用いる紙シート筒体を一部展開した概略斜視図である。
【図３】紙シートに１対のミシン目を刻設している態様を示す斜視図である。
【図４】筒状のカーペットを図３の紙シートに巻き込む態様を示す斜視図である。
【図５】筒状のカーペット包装材を切り離す状況を示す斜視図である。
【図６】カーペット包装材を切り離して得た２個の筒状体および筒巻きカーペットを示す斜視図である。
【図７】１対のミシン目を刻設するために用いるロータリーカッターの正面図と側面図である。
【考案を実施するための形態】
【００１３】
本考案に係るカーペット包装材１は、包装完了時には、図１に示すような筒状になっている。カーペット包装材１では、所定の長さに裁断した矩形状の紙シート２（図２）を筒巻きカーペット３（図４）に巻き付け、該シートの外側辺５をその内周面に接着してから、シート両端部を内方へ折り込んで封止し、さらに封止を確実にするためにクラフトテープ７やガムテープなどで強固に固定する。巻き付けた紙シート２の長さ方向の中間には、図１と図３に示すように、１対の平行ミシン目８，８が環状に刻設され、さらに両ミシン間にタグ状のツマミ部１０を設けている。
【００１４】
通常、展示会場用のカーペット３は、相当に長寸であるので筒状に巻いて搬送することを要する。カーペット包装材１で包装できるカーペット３の寸法は、例えば、幅１．８２ｍ×長さ３０ｍ程度であり、当然のことながらこの寸法以外のカーペットにも適用できる。例えば、前記のカーペット３は、筒状に巻くと直径約３６０ｍｍ、包装後の総重量は約３５ｋｇになり、切り離して得た２個のゴミ入れ用筒状体１２（図６）は、直径約３６０ｍｍ、高さ８９０ｍｍに達する。
【００１５】
紙シート２には、カーペット３の価値を損なう要因である衝撃、汚れ、損傷などから保護するために、一定以上の強度を有し且つ破れにくい素材であることを要する。このため、紙シート２は、クラフト紙、筋入りクラフト紙に加えて、ポリエチレン（ＰＥ）ラミネート紙、ポリプロピレン（ＰＰ）ラミネート紙、糸入りクラフト紙、ＰＥ、ＰＰクロスや紙素材入りの強化包装紙などであり、特に強度と価格の点からＰＥ、ＰＰクロス入りの強化包装紙であると好ましい。強化材であるＰＥ、ＰＰ、紙素材のクロスは、未晒クラフト紙の全面またはセンター部分に貼り合わせる。
【００１６】
ＰＥまたはＰＰクロス入りの強化包装紙は、主として、未晒クラフト紙に対して、樹脂ラミネート樹脂を介して高密度ポリエチレンやポリプロピレンの網状のクロスを貼り合わせた加工紙であり、押出しラミネート機によって製造すればよく、紙表面だけでなく表裏面にクロスを貼り付けても、裏面は単なる樹脂ラミネートであってもよい。ＰＥまたはＰＰクロス入りの強化包装紙は、熱融解した低密度ポリエチレンをラミネートしたクラフト紙をベースに、ＰＥクロスまたはＰＰクロスを貼り合せることにより、ラミネート紙の特性に加えて破れが広がらないクロスの機能を併せ持ち、主に重梱包用の包装紙として多用されており、美観の点でも優れている。
【００１７】
ＰＥまたはＰＰクロス入りの強化包装紙の一般的なサイズは、クラフト紙単独の重さが４０〜７０ｇ／ｍ２であり、紙シート２の全体重量は５０〜１２０ｇ／ｍ２であると好ましい。紙シート２の全体重量が５０ｇ／ｍ２未満であると該シートが破れやすく且つゴミ入れ用筒状体１２の強度が低下し、一方、その全体重量が１２０ｇ／ｍ２を超えるとカーペット包装材１が重くなってしまう。紙シート２の紙幅は、筒巻きカーペット３の幅に応じて１２００〜２５００ｍｍまで可能である。
【００１８】
紙シート２の畳み込みには公知の大型自動包装機（図示しない）を用い、この自動包装機の一部にミシン目を入れるロータリーカッター装置（図示しない）を増設する。紙シート２は、ミシン目が付いていない通常のロール２ａで入荷される。紙シート２の幅は、カーペット３の幅に応じて定め、筒巻きカーペット３に巻き付けた際にシート２の両側端を長くはみ出させることにより、その側端を内方へ折り込んで封止すると、包装材１の両端面つまり筒状体１２，１２（図６）の底を完全に塞ぐことができる。
【００１９】
紙シート２の幅を定める際に、包装材１の両端面を完全に塞ぐために、紙シート２の幅ａ（図４）、カーペット３の幅ｂ、筒巻きカーペットの直径ｃと仮定すると、（ａ−ｂ）／２＞ｃ／２、つまりａ＞ｂ＋ｃの条件を満たすことを要する。例えば、筒巻きカーペット３が長さつまり幅約１８２０ｍｍ、直径約３６０ｍｍであれば、紙シート２の幅は約２２００ｍｍであればよい。
【００２０】
自動包装機において、紙シート２のロールを架台（図示しない）に掛け、図２に示すように、順次一定の長さだけ紙シートロール２ａを自動的に引き出し、通常の丸カッター１４を図２の矢印方向に走行させて、紙シートロール２ａをカーペット３の包装可能長さに自動的に裁断する。紙シート２の包装可能長さは、筒巻きカーペット３の直径が約３６０ｍｍであれば、一重巻きで１２００ｍｍであり、実際には、２重巻き以上の２５００ｍｍに裁断する。
【００２１】
裁断された紙シート２は、カーペット３を自動包装する位置まで搬送され、所望に応じて水平方向に９０度回転させる。次に、ロータリーカッター１６を図３の矢印方向に走行させて、シート側辺１８と平行に１対のミシン目８，８を刻設するとともに、両ミシン目８，８間において、２または３個の半円形状の切り込み２０を所定間隔をおいて形成する。ロータリーカッター１６は、図７（２）に示すように１対のカッター本体２２，２２を備え、両カッター本体の外周は図７（１）のように鋸歯状である。カッター本体２２，２２は、中間小径部２４の両側に同軸状に平行固定される。
【００２２】
両カッター本体間には、半円形状平面の切断刃２６を設置し、該切断刃の両端がカッター本体内壁と接するように配置する。切断刃２６の尖端は、カッター本体２２の切刃２８の尖端とほぼ等しい高さである。カッター本体２２，２２の横間隔は、１対のミシン目８，８の間隔と同様に３５〜５０ｍｍである。また、カッター本体２２において、等間隔配列の各切刃２８の長さは各ミシン目８の幅と等しい２．５〜６ｍｍであり、切刃２８，２８の間隙３０は前後ミシン目の間隙と等しい０．７〜１．２ｍｍである。
【００２３】
ミシン目８，８間における半円形状平面の切り込み２０は、ロータリーカッター１６が１回転するごとに半円形状の切断刃２６によって形成され、該切り込みで得たタグ状のツマミ部１０を外方へ引っ張ると、ミシン目８，８に沿ってカーペット包装材１を開くことができる。ツマミ部１０は、ミシン目８の全長において２または３個存在することが望ましく、仮にこのツマミ部が１個であれば、紙シート２を巻いた際に万が一シート重合部に位置するとミシン目８，８で紙シート２をめくることができず、且つ該ツマミ部を探してカーペット包装材１の周囲を回る事態が発生する蓋然性がある。
【００２４】
ミシン目８，８について、その間隔が３５〜５０ｍｍであると、ツマミ部１０を外方へ引っ張った際に紙シート２を開きやすい。各ミシン目８の幅は２．５〜６ｍｍであり、幅が２．５ｍｍ未満であるとクロス入り強化包装紙を破りにくくなり、一方、幅が６ｍｍを超えると外部からの衝撃でミシン目８が破れやすくなる。また、前後ミシン目の間隙は０．７〜１．２ｍｍであり、間隙が０．７ｍｍ未満であると外部からの衝撃でミシン目８が破れやすくなり、一方、間隙が１．２ｍｍを超えるとクロス入り強化包装紙を破りにくくなる。
【００２５】
図４に示すように、筒巻きカーペット３は、自動包装機において横方向から紙シート状へ一直線状に送り込まれ、ミシン目８，８を刻設した紙シート２の内側上に自動的に載置され、該紙シートの外側辺５の内側に自動的に糊３４を引く。次に、紙シート２は、筒巻きカーペット３を回転しながら巻き付けられ、その巻き付けが完了するとシート外側辺を外周面へ接着する。最後に、カーペット包装材１のシート両端部３６，３６を内方へ折り込んで封止し、さらに封止を確実にするためにクラフトテープ７やガムテープなどで強固に固定する。紙シート２の両端部３６，３６は、中心に空隙が生じないように内方へ密に折り込むことを要する。
【００２６】
カーペット包装材１は、巻き付けた紙シート２によって、カーペット３の価値を損なう様々な要因である衝撃、汚れ、損傷、温湿度、酸素、光などからカーペット３を保護し、筒状での搬送時において識別や分別を容易にし、さらに輸送と保管に適した運び易さや置き易さを付与する。カーペット包装材１で用いる紙シート２には、消費時において開封、破棄または再利用を容易にする資材を用い、ＰＥまたはＰＰクロス入りの強化包装紙であると、切り離し後の筒状体１２，１２をゴミ入れとして転用しやすい。
【００２７】
カーペット包装材１は、展示会場などへ配送後に、図５のようにタグ状のツマミ部１０を外方へ引っ張って平行ミシン目８，８に沿って紙シート２を破る。この結果、カーペット包装材１が上下２部分に切り離され、図６の矢印で示すように、この２部分を筒巻きカーペット３から外すと筒状体１２，１２を得ることができ、筒巻きカーペット３を容易に取り出すことができる。上面開口の筒状体１２，１２は、配送先の展示会場において、そのままゴミ入れとして転用できる。
【００２８】
各２個の筒状体１２，１２は、それぞれゴミ入れとして転用すると、大規模展示会などにおいて、カーペット敷設の際に多量に発生する使用済みクラフトテープやガムテープ、カーペットの切り端、糸片、紙くず、固化糊くずなどの小物くずを殆ど全量収納でき、これらを筒状体１２ごと廃棄処分すると極めて便利である。筒状体１２のゴミ入れ転用により、該筒状体１２自体の廃棄作業およびダストボックスの持ち込み・回収作業が不要になり、大会場でのカーペット敷設作業が簡略化して作業人員も削減できる。
【実施例１】
【００２９】
次に、本考案を実施例に基づいて説明する。カーペット包装材１で包装するカーペット３の寸法は幅１．８２ｍ×長さ３０ｍである。カーペット３を筒巻きにすると直径が約３６０ｍｍ、包装後の総重量は約３５ｋｇに達する。
【００３０】
用いる紙シート２はＰＥクロス入り強化包装紙である。この強化包装紙は、その包装内面において熱融解低密度ポリエチレンを介して縦横方向にＰＥクロスを接着し、横方向つまりミシン目８と平行に約３ｍｍ幅のＰＥクロスを７〜８ｍｍの間隔をおいて配列し、縦方向には約７ｍｍ幅のＰＥクロスが連続配列する。紙シート２について、厚みは約０．１５ｍｍおよび重量は約８０ｇ／ｍ２であり、縦方向の平均引張り強度は３６８．２Ｎ／５ｃｍ、横方向の平均引張り強度は１８２．８Ｎ／５ｃｍである。
【００３１】
紙シート２は、幅２２００ｍｍ、長さ２５００ｍｍに裁断する。次に、ロータリーカッター１６によって、シート側辺１８と平行に１対のミシン目８，８を刻設する。この際に、ミシン目８，８の間隔は４０ｍｍであり、各ミシン目８の幅は２．６ｍｍ、前後ミシン目の間隙は１．０ｍｍであると好ましい。ミシン目８，８間には、半円形状の切り込み２０であるタグ状のツマミ部１０を等間隔に２個設ける。
【００３２】
図４に示すように、筒巻きカーペット３は、ミシン目８，８を刻設した紙シート２の内側上に自動的に載置され、該紙シートの外側辺５の内側に自動的に糊３４を引く。次に、紙シート２は、筒巻きカーペット３を回転しながら巻き付けられ、その巻き付けが完了するとシート外側辺を外周面へ接着する。最後に、カーペット包装材１のシート両端部３６，３６を内方へ折り込んで封止し、さらに封止を確実にするために複数本のクラフトテープ７で十文字状に強く固定する。
【００３３】
カーペット包装材は、大規模展示会場などへ配送後に、タグ状のツマミ部１０を外方へ引っ張って平行ミシン目８，８に沿って紙シート２を破ると、筒巻きカーペット３を容易に取り出すことができる。この際に、筒状の包装材１は２部分に切り離され、２個の上面開口の筒状体１２，１２を得ることができ、両筒状体をそのままゴミ入れとして転用できる。切り離して得た２個のゴミ入れ用筒状体１２（図６）は、直径約３６０ｍｍ、高さ８９０ｍｍに達する。
【符号の説明】
【００３４】
１    カーペット包装材
２    紙シート
３    筒巻きカーペット
７    クラフトテープ
８    平行ミシン目
１０    ツマミ部
１２    ゴミ入れ用筒状体
【図１】
0003201843.tif 000003
【図２】
0003201843.tif 000004
【図３】
0003201843.tif 000005
【図４】
0003201843.tif 000006
【図５】
0003201843.tif 000007
【図６】
0003201843.tif 000008
【図７】
0003201843.tif 000009